(57)【要約】      （修正有）【課題】水系試料中のテトラフルオロホウ酸イオンを、短時間に感度良く検出できるテトラフルオロホウ酸イオン検出剤を提供する。【解決手段】水系試料中のテトラフルオロホウ酸イオンを検出するテトラフルオロホウ酸イオン検出剤であって、下記一般式（Ｉ）で表される化合物と、平面四配位若しくは正八面体配位可能な金属イオンを含む金属塩又はその水和物と、を含む〔Ｒ２、Ｒ３、及びＲ４のうち１つ：Ｒｘに対してメタ位又はパラ位にあるＲｙ；Ｒｘ，Ｒｙ：下記複素環置換基；Ｒ１、Ｒ２、Ｒ３、Ｒ４及びＲ５のうち、Ｒｙを除いた残り：水酸基、水素原子、炭素数１〜３０の置換若しくは未置換の脂肪族基、又はスルホン酸基（少なくとも１つは水酸基）；Ｒ６、Ｒ７：水素原子又はメチル基；Ａ：窒素原子を少なくとも１つ含む５員又は６員の複素環基］。2012026981.tif 000019【選択図】なし【特許請求の範囲】
【請求項１】
水系試料中のテトラフルオロホウ酸イオンを検出するテトラフルオロホウ酸イオン検出剤であって、
下記一般式（Ｉ）で表される化合物と、
平面四配位若しくは正八面体配位可能な金属イオンを含む金属塩又はその水和物と、
を含むテトラフルオロホウ酸イオン検出剤。
【化１】
2012026981.tif 000015
［式中、Ｒ２、Ｒ３、及びＲ４のうち１つは、Ｒｘに対してメタ位又はパラ位にあるＲｙであり、Ｒｘ及びＲｙは互いに独立して下記の複素環置換基を表し、
【化２】
2012026981.tif 000016
Ｒ１、Ｒ２、Ｒ３、Ｒ４及びＲ５のうち、Ｒｙを除いた残りは、それぞれ独立に、水酸基、水素原子、炭素数１〜３０の置換若しくは未置換の脂肪族基、又はスルホン酸基を表す。但し、Ｒ１、Ｒ２、Ｒ３、Ｒ４及びＲ５からＲｙを除いた残りのうち、少なくとも１つは水酸基である。
前記複素環置換基のうち、Ｒ６及びＲ７はそれぞれ独立に、水素原子又はメチル基を表し、Ａは、窒素原子を少なくとも１つ含む５員又は６員の複素環基を表す。］
【請求項２】
前記金属塩又はその水和物が、硫酸銅（ＣｕＳＯ４）及び塩化第二銅（ＣｕＣｌ２）の少なくとも一方又はその水和物である請求項１記載のテトラフルオロホウ酸イオン検出剤。
【請求項３】
前記金属塩又はその水和物が、塩化第二銅（ＣｕＣｌ２）又はその水和物である請求項１又は請求項２記載のテトラフルオロホウ酸イオン検出剤。
【請求項４】
前記一般式（Ｉ）で表される化合物に対する前記金属イオンのモル比〔前記金属イオンのモル数／前記一般式（Ｉ）で表される化合物のモル数〕が０．１〜２．０である請求項１〜請求項３のいずれか１項記載のテトラフルオロホウ酸イオン検出剤。
【請求項５】
前記一般式（Ｉ）で表される化合物に対する前記金属イオンのモル比〔前記金属イオンのモル数／前記一般式（Ｉ）で表される化合物のモル数〕が０．５〜１．５である請求項１〜請求項４のいずれか１項記載のテトラフルオロホウ酸イオン検出剤。
【請求項６】
水系試料中のテトラフルオロホウ酸イオンを検出するテトラフルオロホウ酸イオン検出キットであって、
下記一般式（Ｉ）で表される化合物と、
平面四配位若しくは正八面体配位可能な金属イオンを含む金属塩又はその水和物と、
を含むテトラフルオロホウ酸イオン検出キット。
【化３】
2012026981.tif 000017
［式中、Ｒ２、Ｒ３、及びＲ４のうち１つは、Ｒｘに対してメタ位又はパラ位にあるＲｙであり、Ｒｘ及びＲｙは互いに独立して下記の複素環置換基を表し、
【化４】
2012026981.tif 000018
Ｒ１、Ｒ２、Ｒ３、Ｒ４及びＲ５のうち、Ｒｙを除いた残りは、それぞれ独立に、水酸基、水素原子、炭素数１〜３０の置換若しくは未置換の脂肪族基、又はスルホン酸基を表す。但し、Ｒ１、Ｒ２、Ｒ３、Ｒ４及びＲ５からＲｙを除いた残りのうち、少なくとも１つは水酸基である。
前記複素環置換基のうち、Ｒ６及びＲ７はそれぞれ独立に、水素原子又はメチル基を表し、Ａは、窒素原子を少なくとも１つ含む５員又は６員の複素環基を表す。］
【請求項７】
前記金属塩又はその水和物が、硫酸銅（ＣｕＳＯ４）及び塩化第二銅（ＣｕＣｌ２）の少なくとも一方又はその水和物である請求項６記載のテトラフルオロホウ酸イオン検出キット。
【請求項８】
前記金属塩又はその水和物が、塩化第二銅（ＣｕＣｌ２）又はその水和物である請求項６又は請求項７記載のテトラフルオロホウ酸イオン検出キット。
【請求項９】
前記一般式（Ｉ）で表される化合物に対する前記金属イオンのモル比〔前記金属イオンのモル数／前記一般式（Ｉ）で表される化合物のモル数〕が０．１〜２．０である請求項６〜請求項８のいずれか１項記載のテトラフルオロホウ酸イオン検出キット。
【請求項１０】
前記一般式（Ｉ）で表される化合物に対する前記金属イオンのモル比〔前記金属イオンのモル数／前記一般式（Ｉ）で表される化合物のモル数〕が０．５〜１．５である請求項６〜請求項９のいずれか１項記載のテトラフルオロホウ酸イオン検出キット。
【請求項１１】
更に、前記一般式（Ｉ）で表される化合物と前記金属塩又はその水和物と前記水系試料とを接触させるための試験容器を含む請求項６〜請求項１０のいずれか１項に記載のテトラフルオロホウ酸イオン検出キット。
【請求項１２】
水系試料中のテトラフルオロホウ酸イオンを検出するテトラフルオロホウ酸イオン検出キットであって、
請求項１〜請求項５のいずれか１項記載のテトラフルオロホウ酸イオン検出剤と、
前記一般式（Ｉ）で表される化合物と前記金属塩又はその水和物と前記水系試料とを接触させるための試験容器と、
を含むテトラフルオロホウ酸イオン検出キット。
【請求項１３】
請求項１〜請求項５のいずれか１項記載のテトラフルオロホウ酸イオン検出剤又は請求項６〜請求項１２のいずれか１項記載のテトラフルオロホウ酸イオン検出キットを用いて水系試料中のテトラフルオロホウ酸イオンを検出する方法であって、
前記一般式（Ｉ）で表される化合物と、前記金属塩又はその水和物と、前記水系試料と、を接触させ、水系試料の色の変化によりテトラフルオロホウ酸イオンを検出するテトラフルオロホウ酸イオン検出方法。
【発明の詳細な説明】
【技術分野】
【０００１】
本発明は、テトラフルオロホウ酸イオン検出剤、テトラフルオロホウ酸イオン検出キット、及びテトラフルオロホウ酸イオン検出方法に関する。
【背景技術】
【０００２】
テトラフルオロホウ酸イオン（ＢＦ４−）は、半導体製造工程やめっき工程等の廃液に含まれるイオンである。
テトラフルオロホウ酸イオンを含む廃液の処理方法、即ち、廃液中からテトラフルオロホウ酸イオンを除去する除去方法は、テトラフルオロホウ酸イオンをフッ素とホウ素とに分解し、得られたフッ素とホウ素とを個別に処理する方法が主流となっている。
【０００３】
例えば、テトラフルオロホウ酸イオンを含有する廃液に硫酸アルミニウムを添加し、５０℃以上の温度で反応させてテトラフルオロホウ酸イオンを分解し、更に、炭酸カルシウムを添加してｐＨ４以下でフッ素をフッ化カルシウムとして固定し、更に、水酸化カルシウム又は（及び）塩化カルシウムを添加してｐＨ４以下でフッ化カルシウムを熟成し、更に、５０℃以下の温度で水酸化カルシウムを添加してｐＨを９以上にしてホウ素およびフッ素を不溶性化合物に変換した後、固液分離する方法が知られている（例えば、特許文献１参照）。
【０００４】
また、テトラフルオロホウ酸イオンを含有する廃液を酸性条件下に調整し、常温・常圧下でフッ化ホウ素分解材（水酸化ジルコニウムや水酸化チタニウム等）と接触させて、テトラフルオロホウ酸イオンをフッ素イオンとホウ酸イオンとに分解すると同時に、フッ素イオンをフッ化ホウ素分解材に吸着除去し、ホウ素イオンをイオン交換樹脂等を用いて吸着除去する方法が知られている（例えば、特許文献２参照）。
【０００５】
一方、テトラフルオロホウ酸イオンをフッ素とホウ素とに分解する方法に代えて、液体試料中のテトラフルオロホウ酸イオンを捕捉カプセル分子に取り込んで沈殿させ、生じた沈殿を液体試料中から除去する方法が知られている（例えば、特許文献３参照）。
【先行技術文献】
【特許文献】
【０００６】
【特許文献１】特許２９１２９３４号公報
【特許文献２】特開２００７−２２２８１７号公報
【特許文献３】特開２０１０−０２２８８６号公報
【発明の概要】
【発明が解決しようとする課題】
【０００７】
しかしながら、水系試料中のテトラフルオロホウ酸イオンを検出する方法としては、より短時間に、より感度良く検出する方法が望まれている。
本発明は上記に鑑みなされたものであり、以下の目的を達成することを課題とする。
即ち、本発明の目的は、水系試料中のテトラフルオロホウ酸イオンを、短時間に感度良く検出できるテトラフルオロホウ酸イオン検出剤、テトラフルオロホウ酸イオン検出キット、及びテトラフルオロホウ酸イオン検出方法を提供することである。
【課題を解決するための手段】
【０００８】
前記課題を解決するための手段は以下のとおりである。
＜１＞  水系試料中のテトラフルオロホウ酸イオンを検出するテトラフルオロホウ酸イオン検出剤であって、
下記一般式（Ｉ）で表される化合物と、
平面四配位若しくは正八面体配位可能な金属イオンを含む金属塩又はその水和物と、
を含むテトラフルオロホウ酸イオン検出剤。
【０００９】
【化１】
2012026981.tif 000002
【００１０】
［式中、Ｒ２、Ｒ３、及びＲ４のうち１つは、Ｒｘに対してメタ位又はパラ位にあるＲｙであり、Ｒｘ及びＲｙは互いに独立して下記の複素環置換基を表し、
【００１１】
【化２】
2012026981.tif 000003
【００１２】
Ｒ１、Ｒ２、Ｒ３、Ｒ４及びＲ５のうち、Ｒｙを除いた残りは、それぞれ独立に、水酸基、水素原子、炭素数１〜３０の置換若しくは未置換の脂肪族基、又はスルホン酸基を表す。但し、Ｒ１、Ｒ２、Ｒ３、Ｒ４及びＲ５からＲｙを除いた残りのうち、少なくとも１つは水酸基である。
前記複素環置換基のうち、Ｒ６及びＲ７はそれぞれ独立に、水素原子又はメチル基を表し、Ａは、窒素原子を少なくとも１つ含む５員又は６員の複素環基を表す。］
【００１３】
＜２＞  前記金属塩又はその水和物が、硫酸銅（ＣｕＳＯ４）及び塩化第二銅（ＣｕＣｌ２）の少なくとも一方又はその水和物である＜１＞記載のテトラフルオロホウ酸イオン検出剤。
＜３＞  前記金属塩又はその水和物が、塩化第二銅（ＣｕＣｌ２）又はその水和物である＜１＞又は＜２＞記載のテトラフルオロホウ酸イオン検出剤。
＜４＞  前記一般式（Ｉ）で表される化合物に対する前記金属イオンのモル比〔前記金属イオンのモル数／前記一般式（Ｉ）で表される化合物のモル数〕が０．１〜２．０である＜１＞〜＜３＞のいずれか１項記載のテトラフルオロホウ酸イオン検出剤。
＜５＞  前記一般式（Ｉ）で表される化合物に対する前記金属イオンのモル比〔前記金属イオンのモル数／前記一般式（Ｉ）で表される化合物のモル数〕が０．５〜１．５である＜１＞〜＜４＞のいずれか１項記載のテトラフルオロホウ酸イオン検出剤。
【００１４】
＜６＞  水系試料中のテトラフルオロホウ酸イオンを検出するテトラフルオロホウ酸イオン検出キットであって、
下記一般式（Ｉ）で表される化合物と、平面四配位若しくは正八面体配位可能な金属イオンを含む金属塩又はその水和物と、を含むテトラフルオロホウ酸イオン検出キット。
【００１５】
【化３】
2012026981.tif 000004
【００１６】
［式中、Ｒ２、Ｒ３、及びＲ４のうち１つは、Ｒｘに対してメタ位又はパラ位にあるＲｙであり、Ｒｘ及びＲｙは互いに独立して下記の複素環置換基を表し、
【００１７】
【化４】
2012026981.tif 000005
【００１８】
Ｒ１、Ｒ２、Ｒ３、Ｒ４及びＲ５のうち、Ｒｙを除いた残りは、それぞれ独立に、水酸基、水素原子、炭素数１〜３０の置換若しくは未置換の脂肪族基、又はスルホン酸基を表す。但し、Ｒ１、Ｒ２、Ｒ３、Ｒ４及びＲ５からＲｙを除いた残りのうち、少なくとも１つは水酸基である。
前記複素環置換基のうち、Ｒ６及びＲ７はそれぞれ独立に、水素原子又はメチル基を表し、Ａは、窒素原子を少なくとも１つ含む５員又は６員の複素環基を表す。］
【００１９】
＜７＞  前記金属塩又はその水和物が、硫酸銅（ＣｕＳＯ４）及び塩化第二銅（ＣｕＣｌ２）の少なくとも一方又はその水和物である＜６＞記載のテトラフルオロホウ酸イオン検出キット。
＜８＞  前記金属塩又はその水和物が、塩化第二銅（ＣｕＣｌ２）又はその水和物である＜６＞又は＜７＞記載のテトラフルオロホウ酸イオン検出キット。
＜９＞  前記一般式（Ｉ）で表される化合物に対する前記金属イオンのモル比〔前記金属イオンのモル数／前記一般式（Ｉ）で表される化合物のモル数〕が０．１〜２．０である＜６＞〜＜８＞のいずれか１項記載のテトラフルオロホウ酸イオン検出キット。
＜１０＞  前記一般式（Ｉ）で表される化合物に対する前記金属イオンのモル比〔前記金属イオンのモル数／前記一般式（Ｉ）で表される化合物のモル数〕が０．５〜１．５である＜６＞〜＜９＞のいずれか１項記載のテトラフルオロホウ酸イオン検出キット。
＜１１＞  更に、前記一般式（Ｉ）で表される化合物と前記金属塩又はその水和物と前記水系試料とを接触させるための試験容器を含む＜６＞〜＜１０＞のいずれか１項記載のテトラフルオロホウ酸イオン検出キット。
【００２０】
＜１２＞  水系試料中のテトラフルオロホウ酸イオンを検出するテトラフルオロホウ酸イオン検出キットであって、
＜１＞〜＜５＞のいずれか１項記載のテトラフルオロホウ酸イオン検出剤と、
前記一般式（Ｉ）で表される化合物と前記金属塩又はその水和物と前記水系試料とを接触させるための試験容器と、
を含むテトラフルオロホウ酸イオン検出キット。
【００２１】
＜１３＞  ＜１＞〜＜５＞のいずれか１項記載のテトラフルオロホウ酸イオン検出剤又は＜６＞〜＜１２＞のいずれか１項記載のテトラフルオロホウ酸イオン検出キットを用いて水系試料中のテトラフルオロホウ酸イオンを検出する方法であって、
前記一般式（Ｉ）で表される化合物と、前記金属塩又はその水和物と、前記水系試料と、を接触させ、水系試料の色の変化によりテトラフルオロホウ酸イオンを検出するテトラフルオロホウ酸イオン検出方法。
【発明の効果】
【００２２】
本発明によれば、水系試料中からテトラフルオロホウ酸イオンを、短時間に感度良く検出できるテトラフルオロホウ酸イオン検出剤、テトラフルオロホウ酸イオン検出キット、及びテトラフルオロホウ酸イオン検出方法を提供することができる。
【図面の簡単な説明】
【００２３】
【図１】本実施例１において、硫酸銅及び例示化合物（ａ）を含む水系試料に、テトラフルオロホウ酸ナトリウム溶液を滴下していったときの紫外可視吸収スペクトルである。
【発明を実施するための形態】
【００２４】
まず、本発明のテトラフルオロホウ酸イオン検出剤、テトラフルオロホウ酸イオン検出キット、及びテトラフルオロホウ酸イオン検出方法に用いられる、一般式（Ｉ）で表される化合物及び金属塩又はその水和物について説明し、引き続き、本発明のテトラフルオロホウ酸イオン検出剤、テトラフルオロホウ酸イオン検出キット、及びテトラフルオロホウ酸イオン検出方法について説明する。
【００２５】
＜一般式（Ｉ）で表される化合物＞
本発明のテトラフルオロホウ酸イオン検出剤、本発明のテトラフルオロホウ酸イオン検出キット、及び本発明のテトラフルオロホウ酸イオン検出方法では、下記一般式（Ｉ）で表される化合物を用いる。
【００２６】
【化５】
2012026981.tif 000006
【００２７】
［一般式（Ｉ）中、Ｒ２、Ｒ３、及びＲ４のうち１つは、Ｒｘに対してメタ位又はパラ位にあるＲｙであり、Ｒｘ及びＲｙは互いに独立して下記の複素環置換基を表し、
【００２８】
【化６】
2012026981.tif 000007
【００２９】
Ｒ１、Ｒ２、Ｒ３、Ｒ４及びＲ５のうち、Ｒｙを除いた残りは、それぞれ独立に、水酸基、水素原子、炭素数１〜３０の置換若しくは未置換の脂肪族基、又はスルホン酸基を表す。但し、Ｒ１、Ｒ２、Ｒ３、Ｒ４及びＲ５からＲｙを除いた残りのうち、少なくとも１つは水酸基である。
前記複素環置換基のうち、Ｒ６及びＲ７はそれぞれ独立に、水素原子又はメチル基を表し、Ａは、窒素原子を少なくとも１つ含む５員又は６員の複素環基を表す。］
【００３０】
前記一般式（Ｉ）で表される化合物は、水系試料中で、ＢＦ４−と平面四配位又は正八面体配位可能な金属イオンとに接触すると、４分子集まって前記金属イオン２個とともに、ＢＦ４−１分子を取り込んでカプセル分子を形成する（自己集積化反応）。本発明においては、ＢＦ４−１分子を取り込んだカプセル分子を、「捕捉カプセル型分子」という。上記接触により捕捉カプセル型分子が形成される理由は、ＢＦ４−のサイズが、前記一般式（Ｉ）で表される化合物４分子と前記金属イオン２個とで形成されるカプセル骨格の内部空間（捕捉空間）のサイズよりも小さく、かつ、ＢＦ４−が前記内部空間から離脱しにくいため、と考えられる。
本発明における捕捉カプセル型分子の構造は、例えば単結晶構造解析及び紫外・可視分光スペクトル等により確認することができる。
なお、本発明における捕捉カプセル型分子の構造は、配位子となる一般式（Ｉ）で表される化合物の種類以外は特開２０１０−２２８８６号公報の段落００２４及び図１と同様の構造である。
【００３１】
本発明における一般式（Ｉ）で表される化合物は、分子中に水酸基を少なくとも１つ有しているため、水に対する溶解性が高い。これにより、水系試料中に容易に溶解されるとともに、より短時間で捕捉カプセル型分子を形成できる。
更に、形成された捕捉カプセル型分子自体も水酸基を有しているため、捕捉カプセル型分子自体も水への溶解性が高い。このため、該捕捉カプセル型分子の形成に伴い、水系試料の色が該捕捉カプセル型分子に由来する色（例えば紫色）に変化する。
従って、前記一般式（Ｉ）で表される化合物と、前記金属塩又はその水和物と、前記水系試料と、を接触させて、ＢＦ４−を捕捉した捕捉カプセル型分子を形成させ、該捕捉カプセル型分子の形成に伴う水系試料の色の変化を確認することにより、水系試料中のＢＦ４−を、短時間に感度良く検出できる。
【００３２】
一方、特開２０１０−２２８８６号公報の段落００１７〜００４１、００６３〜００６５に記載されている化合物（例えば、１，４−ビス（イミダゾール−１−イル−メチル）２，３，５，６−テトラメチルベンゼン；ｂｉｔｂ））も、本発明における捕捉カプセル型分子と同様の捕捉カプセル型分子を形成できる化合物である。上記公報に記載の化合物は、水系試料中のＢＦ４−を捕捉カプセル型分子に取り込んで沈殿させることにより、水系試料中からＢＦ４−を除去する用途に有用な化合物である。
しかしながら、上記公報に記載の化合物をＢＦ４−の検出の用途に用いた場合、捕捉カプセル型分子の形成に伴う水系試料の色の変化がおこるまでの時間が長く（例えば、０．５時間よりも長い時間）、また、低濃度（例えば、１０ｍＭ以下）のＢＦ４−に対しては呈色効率が悪かった。
これに対し、本発明における一般式（Ｉ）で表される化合物は、分子中に水酸基を少なくとも１つ有しているため、親水性が向上し、水系試料中における捕捉カプセル型分子形成反応の進行が速いことがわかった。
例えば、本発明における一般式（１）で表される化合物によるＢＦ４−の検出では、検出に要する時間は、例えば、３０分以内とすることができ、更には１０分以内とすることができ、更には１０秒以内とすることができる。
また、一般式（１）で表される化合物によるＢＦ４−の検出では、水系試料中におけるＢＦ４−の濃度は、例えば１０ｍＭ以下とすることができ、更には１ｍＭ以下とすることもでき、更には０．１ｍＭ以下とすることもできる。
【００３３】
次に、前記一般式（Ｉ）における各置換基の詳細について説明する。
前記一般式（Ｉ）において、ＲｙとＲｘは同一の複素環置換基であることが、生成する捕捉カプセル型分子の異性体の数を制限でき、生成物の同定を行いやすい観点から好ましい。
Ｒｘ及びＲｙにおいて、Ｒ６及びＲ７は、芳香族環の他の置換基と立体障害を起こすことなく、捕捉カプセル型分子を形成しうる観点から、共に水素原子であることが好ましい。
【００３４】
また、前記一般式（Ｉ）において、ＲｙがＲｘに対してパラ位にあること、即ち、Ｒ３がＲｙであることが、テトラフルオロホウ酸イオンを選択的に捕捉する観点から好ましい。
また、前記一般式（Ｉ）において、ＲｙがＲｘに対してメタ位にあること、即ち、Ｒ２又はＲ４がＲｙであることが、合成容易性の観点から好ましい。
【００３５】
また、前記一般式（Ｉ）において、Ｒ１、Ｒ２、Ｒ３、Ｒ４及びＲ５からＲｙを除いた残りは、それぞれ独立に、水酸基、水素原子、炭素数１〜３０の置換若しくは未置換の脂肪族基、又はスルホン酸基を表す。
ここで、Ｒ１、Ｒ２、Ｒ３、Ｒ４及びＲ５からＲｙを除いた残りのうち、少なくとも１つは水酸基である。
【００３６】
Ｒ１、Ｒ２、Ｒ３、Ｒ４及びＲ５からＲｙを除いた残りのうち、水酸基の総数は、テトラフルオロホウ酸イオンを捕捉したカプセルを安定に形成させる観点から、１個〜４個であることが好ましく、１個又は２個であることがより好ましい。
【００３７】
また、Ｒ１、Ｒ２、Ｒ３、Ｒ４及びＲ５から、Ｒｙ及び水酸基を除いた残りは、いずれも、炭素数１〜３０の置換若しくは未置換の炭化水素基であることが、カプセル骨格内からのテトラフルオロホウ酸イオンの離脱を防ぐ観点から好ましい。
また、Ｒ１、Ｒ２、Ｒ３、Ｒ４及びＲ５から、Ｒｙ及び水酸基を除いた残りにおいて、隣り合う基が互いに結合して脂肪族環を形成してもよい。
【００３８】
Ｒ１、Ｒ２、Ｒ３、Ｒ４及びＲ５で表される炭化水素基の炭素数としては、合成容易性の観点や、一般式（Ｉ）で表される化合物同士が立体的に障害となることなくカプセルを形成し、またカプセル骨格内からのテトラフルオロホウ酸イオンの離脱を防ぐ観点から、１〜１０が好ましく、１〜２がより好ましい。
【００３９】
Ｒｘ及びＲｙにおいて、Ａで表される複素環基は、炭素数１〜６のアルキル基やスルホン酸基等の置換基で置換されていてもよい。また、前記複素環基中には、窒素原子の他に、酸素原子や硫黄原子が含まれていてもよい。
Ａで表される複素環基としては、前記金属イオンに配位可能な複素環基が挙げられる。このような複素環基としては、ピロール−１−イル基以外のピロリル基、２Ｈ−ピロール−１−イル基以外の２Ｈ−ピロリル基、イミダゾリル基、ピラゾリル基、イソチアゾール−１−イル基以外のイソチアゾリル基、イソオキサゾール−１−イル基以外のイソオキサゾリル基、ピロリジン−１−イル基以外のピロリジニル基、イミダゾリジニル基、ピラゾリジニル基、ピリジン−１−イル基以外のピリジル基、ピラジル基、ピリミジニル基、ピリダジニル基、ピペリジン−１−イル基以外のピペリジニル基、ピペラジニル基、モルホリン−４−イル基以外のモルホリニル基、下記構造式で表される基が好ましい。
【００４０】
【化７】
2012026981.tif 000008
【００４１】
前記の中でも、合成容易性と金属イオンに対する配位性との観点からは、ピロール−１−イル基以外のピロリル基、イミダゾリル基、ピリジン−１−イル基以外のピリジル基、下記構造式で表される基がより好ましい。
【００４２】
【化８】
2012026981.tif 000009
【００４３】
前記の中でもイミダゾリル基が特に好ましい。
【００４４】
前記一般式（Ｉ）で表される化合物の合成方法としては、国際公開第２００８／０２９８０４号パンフレットに記載されている方法に準じた方法や、C.-H. Zhou, R.-G. Xie, and H.-M. Zhao, Organic. Preparations and Procedures Int., 1996, 28(3), 345 に記載されている方法に準じた方法を用いることができる。
合成方法について、具体的には、１〜３個の水酸基で置換された芳香族化合物と、１，３，５−トリオキサンと、ハロゲン化水素と、を酸性条件下で反応させて、一旦ハロゲン置換された芳香族化合物を合成しておき、その後、一般式（Ｉ）中のＡに相当する化合物を反応させて、ハロゲン原子をＡで置換する方法、等が挙げられる。
【００４５】
以下、一般式（Ｉ）で表される化合物の例示化合物を示す。ただし本発明はこれらに限定されるものではない。
【００４６】
【化９】
2012026981.tif 000010
【００４７】
＜金属塩又はその水和物＞
本発明のテトラフルオロホウ酸イオン検出剤、本発明のテトラフルオロホウ酸イオン検出キット、及び本発明のテトラフルオロホウ酸イオン検出方法では、平面四配位若しくは正八面体配位可能な金属イオンを含む金属塩又はその水和物を用いる。
ここで、平面四配位又は正八面体配位可能な金属イオンは、ＢＦ４−を含む水系試料中では、前述の捕捉カプセル型分子の構成要素となるイオンである。
平面四配位又は正八面体配位可能な金属イオンとしては、例えば、Ｚｎ２＋、Ｃｕ２＋、Ｎｉ２＋、Ｃｏ２＋、Ｆｅ２＋、Ｍｎ２＋、Ａｇ＋、Ｐｄ２＋、及びＰｔ２＋が挙げられる。
中でも、捕捉カプセル型分子の形成性の観点等からは、Ｚｎ２＋、Ｃｕ２＋、Ｎｉ２＋、Ｃｏ２＋が好ましく、Ｃｕ２＋が特に好ましい。
【００４８】
また、前記金属塩における陰イオンとしては、ＢＦ４−以外の陰イオンを用いることができる。
ＢＦ４−以外の陰イオンとしては、例えば、ＯＨ−、ＳＯ４２−、ＣＯ３２−、ＮＯ３−、ＣＨ３ＣＯＯ−、Ｃ２Ｏ４２−、ＨＣＯＯ−、Ｃｌ−、Ｂｒ−、Ｆ−、ＰＦ６−、アセチルアセトナト（Ｃ５Ｈ７Ｏ２−）、ＳｉＦ６２−、等が挙げられる。
中でも、ＢＦ４−が検出された場合の水系試料の色と、ＢＦ４−が検出されなかった場合の水系試料の色と、の差をより区別し易い点で、ＮＯ３−、Ｃｌ−、ＳＯ４２−、ＯＨ−、ＣＯ３２−が好ましく、Ｃｌ−、ＳＯ４２−がより好ましく、Ｃｌ−が特に好ましい。
【００４９】
以下、ＢＦ４−が検出された場合の水系試料の色と、ＢＦ４−が検出されなかった場合の水系試料の色と、の差の区別し易さを、単に「ＢＦ４−の検出性」ともいう。
この差を区別し易い程、ＢＦ４−の検出性に優れている。
【００５０】
前記金属塩又はその水和物としては、ＣｕＳＯ４、ＣｕＣｌ２、Ｃｕ（ＮＯ３）２、Ｃｕ（ＯＨ）２、ＣｕＣＯ３、又はこれらの水和物を挙げることができる。
その中でも、捕捉カプセル型分子の形成性の観点、及びＢＦ４−の検出性の観点から、硫酸銅（ＣｕＳＯ４）及び塩化第二銅（ＣｕＣｌ２）の少なくとも一方又はその水和物であることが好ましく、塩化第二銅（ＣｕＣｌ２）又はその水和物であることが特に好ましい。
【００５１】
＜水系試料＞
本発明のテトラフルオロホウ酸イオン検出剤、本発明のテトラフルオロホウ酸イオン検出キット、及び本発明のテトラフルオロホウ酸イオン検出方法において、ＢＦ４−を検出する対象となる水系試料は、水を主たる溶媒とする試料を指す。
水系試料は、本発明の効果を損なわない範囲で水以外の溶媒（例えば、アルコール等）を含んでいてもよい。但し、本発明の効果をより顕著に得る観点からは、水系試料において、全溶媒中における水の比率が、５０質量％以上であることが好ましく、６０質量％以上であることがより好ましく、８０質量％以上であることが特に好ましい。
水系試料には、例えば、上水、下水、各種廃水（工業廃水等）、液状の中間生成物、工業用水、飲料水、各種水溶液、コロイド溶液、食品や土壌等を含む懸濁液、等が含まれる。
【００５２】
＜テトラフルオロホウ酸イオン検出剤＞
本発明のテトラフルオロホウ酸イオン検出剤は、水系試料中のテトラフルオロホウ酸イオンを検出するテトラフルオロホウ酸イオン検出剤であって、前記一般式（Ｉ）で表される化合物と、前記金属塩又はその水和物と、を含む。
前記一般式（Ｉ）で表される化合物と、前記金属塩又はその水和物と、の好ましい範囲については前述のとおりである。
【００５３】
本発明のテトラフルオロホウ酸イオン検出剤の形態としては、前記一般式（Ｉ）で表される化合物と前記金属塩又はその水和物とを含む混合物が、粉末状又は錠剤状等の固体である形態が挙げられる。また、別の形態としては、前記固体が水などの溶媒に溶解されてなる溶液の形態が挙げられる。
【００５４】
本発明のテトラフルオロホウ酸イオン検出剤と水系試料と接触させることにより、前記一般式（Ｉ）で表される化合物と、前記金属塩又はその水和物と、水系試料と、を接触させることができる。
このとき、水系試料にテトラフルオロホウ酸イオンが含まれている場合には、前記捕捉カプセル型分子が形成され、水系試料の色が前記捕捉カプセル型分子に由来する色に着色する。一方、水系試料にテトラフルオロホウ酸イオンが含まれていない場合には、前記捕捉カプセル型分子は形成されず、水系試料の色が前記金属塩に含まれる金属イオンの色に着色する。
従って、水系試料の色の違いにより、水系試料中にテトラフルオロホウ酸イオンが含まれているか否かを判定することができる。
色の違いは、目視により判別してもよいし、分光スペクトル等の手段により判別してもよい。
また、水系試料中にテトラフルオロホウ酸イオンが含まれているか否かの判定は、例えば、色の見本を用意し、この見本に基づいて行うことができる。
【００５５】
また、本発明のテトラフルオロホウ酸イオン検出剤においては、ＢＦ４−の検出性の観点より、前記一般式（Ｉ）で表される化合物に対する前記金属イオンのモル比〔前記金属イオンのモル数／前記一般式（Ｉ）で表される化合物のモル数〕を以下で説明する範囲とすることが好ましい。
即ち、前記捕捉カプセル型分子は前述のとおり、前記一般式（Ｉ）で表される化合物４分子と、前記金属イオン２個と、ＢＦ４−１分子と、により構成されているため、該捕捉カプセル型分子においては、前記一般式（Ｉ）で表される化合物に対する前記金属イオンのモル比〔前記金属イオンのモル数／前記一般式（Ｉ）で表される化合物のモル数〕が０．５となっている。
そこで、本発明のテトラフルオロホウ酸イオン検出剤においても、前記一般式（Ｉ）で表される化合物に対する前記金属イオンのモル比〔前記金属イオンのモル数／前記一般式（Ｉ）で表される化合物のモル数〕が０．５を含む範囲とすることが考えられる。
例えば、テトラフルオロホウ酸イオン検出剤における前記モル比は、０．１〜２．０とすることが好ましい。
前記モル比が０．１以上であれば、ＢＦ４−が検出されない場合の水系試料の色（金属イオンの色）をより濃くすることができるので、ＢＦ４−が検出された場合の水系試料の色（捕捉カプセル型分子の色）との区別がより容易となり、ＢＦ４−の検出性がより向上する。
前記モル比が２．０以下であれば、捕捉カプセル型分子の色に金属イオンの色が混ざる現象をより抑制でき、ＢＦ４−の検出性がより向上する。
【００５６】
更に、本発明者等による検討の結果、テトラフルオロホウ酸イオン検出剤における前記モル比が０．５以上であるときに、ＢＦ４−の検出性がより向上することが判明した。
この理由は明らかではないが、ＢＦ４−が検出されない場合の水系試料（捕捉カプセル型分子が形成されず、金属イオンが単体で存在している水系試料）の色をより濃くできることにより、ＢＦ４−が検出された場合の水系試料（捕捉カプセル型分子が形成されている水系試料）の色との差をより区別し易くなるため、と推測される。
従って、ＢＦ４−の検出性を特に向上させる観点からは、テトラフルオロホウ酸イオン検出剤における前記モル比を０．５〜１．５とすることがより好ましく、０．７〜１．３とすることが特に好ましい。
【００５７】
＜テトラフルオロホウ酸イオン検出キット＞
本発明のテトラフルオロホウ酸イオン検出キットの一形態は、水系試料中のテトラフルオロホウ酸イオンを検出するテトラフルオロホウ酸イオン検出剤であって、前記一般式（Ｉ）で表される化合物と、前記金属塩又はその水和物と、を含む。
本形態のテトラフルオロホウ酸イオン検出キットは、前記一般式（Ｉ）で表される化合物と前記金属塩又はその水和物との混合物である本発明のテトラフルオロホウ酸イオン検出剤とは異なり、前記一般式（Ｉ）で表される化合物と前記金属塩又はその水和物との組み合わせであるキット（セット）である。
【００５８】
本形態のテトラフルオロホウ酸イオン検出キットを用い、本発明のテトラフルオロホウ酸イオン検出剤を用いる場合と同様に、前記一般式（Ｉ）で表される化合物と、前記金属塩又はその水和物と、水系試料と、を接触させることができ、水系試料中にテトラフルオロホウ酸イオンが含まれているか否かを判定することができる。
【００５９】
本形態のテトラフルオロホウ酸イオン検出キットにおいても、本発明のテトラフルオロホウ酸イオン検出剤と同様の理由により、前記一般式（Ｉ）で表される化合物に対する前記金属イオンのモル比〔前記金属イオンのモル数／前記一般式（Ｉ）で表される化合物のモル数〕は、０．１〜２．０が好ましく、０．５〜１．５がより好ましく、０．７〜１．３が特に好ましい。
【００６０】
本形態のテトラフルオロホウ酸イオン検出キットのより具体的形態としては、前記一般式（Ｉ）で表される化合物と、前記金属塩又はその水和物と、を個別に容器（例えば、ポリマー容器やガラス容器等）に入れた状態で組み合わせたキットの形態が挙げられる。
この形態において、前記一般式（Ｉ）で表される化合物及び前記金属塩又はその水和物は、それぞれ使用時に容器から出して用いることができる。
【００６１】
また、本形態のテトラフルオロホウ酸イオン検出キットは、前記一般式（Ｉ）で表される化合物及び前記金属塩又はその水和物に加え、更に、前記一般式（Ｉ）で表される化合物と前記金属塩又はその水和物と前記水系試料とを接触させるための試験容器を含んでいてもよい。
前記試験容器としては、例えば、ポリマー容器やガラス容器を用いることができる。
前記試験容器を含む本形態のテトラフルオロホウ酸イオン検出キットによれば、前記一般式（Ｉ）で表される化合物及び前記金属塩又はその水和物を、ＢＦ４−を検出したい液体試料に直接添加しなくて済むというメリットがある。即ち、ＢＦ４−を検出したい液体試料のうちの一部を採取し、採取された一部に含まれるＢＦ４−を検出することができる。
前記試験容器には、水系試料を分析に必要な量（例えば、３ｍＬ）だけ注入できるように評線が記されていたり、分析に必要な量（例えば、３ｍＬ）以上を吸い取れないような工夫が施されていることが好ましい。
【００６２】
また、本発明のテトラフルオロホウ酸イオン検出キットの別の形態としては、前記本発明のテトラフルオロホウ酸イオン検出剤と、前記試験容器と、を含むキットが挙げられる。
前記試験容器の好ましい形態については前述のとおりである。
【００６３】
＜テトラフルオロホウ酸イオン検出方法＞
本発明のテトラフルオロホウ酸イオン検出方法は、本発明のテトラフルオロホウ酸イオン検出剤又は本発明のテトラフルオロホウ酸イオン検出キットを用いて水系試料中のテトラフルオロホウ酸イオンを検出する方法であって、前記一般式（Ｉ）で表される化合物と、前記金属塩又はその水和物と、前記水系試料と、を接触させ、水系試料の色の変化によりテトラフルオロホウ酸イオンを検出する方法である。
水系試料中にテトラフルオロホウ酸イオンが含まれている場合には、上記接触によりテトラフルオロホウ酸イオンを捕捉した捕捉カプセル型分子が形成され、水系試料の色は前記捕捉カプセル型分子に由来する色に着色する。一方、水系試料にテトラフルオロホウ酸イオンが含まれていない場合には、上記接触によっても前記捕捉カプセル型分子は形成されず、水系試料の色は前記金属塩に含まれる金属イオンの色に着色する。
従って、水系試料の色の違いにより、水系試料中にテトラフルオロホウ酸イオンが含まれているか否かを判定することができる。
色の違いは、目視により判別してもよいし、分光スペクトル等の手段により判別してもよい。また、水系試料中にテトラフルオロホウ酸イオンが含まれているか否かの判定は、例えば、色の見本を用意し、この見本に基づいて行うことができる。
【００６４】
水系試料中で、一般式（Ｉ）で表される化合物と、前記金属塩又はその水和物と、前記テトラフルオロホウ酸イオンと、を接触させる方法については特に限定はない。
例えば、水系試料が入っている容器（例えば、前述の試験容器）に前記一般式（Ｉ）で表される化合物及び前記金属塩又はその水和物を添加することにより行ってもよいし、逆に、前記一般式（Ｉ）で表される化合物及び前記金属塩又はその水和物が入っている容器（例えば、前述の試験容器）に水系試料を添加してもよい。
【００６５】
本検出方法では、前記一般式（Ｉ）で表される化合物と、前記金属塩又はその水和物と、前記水系試料と、の接触頻度を高め、捕捉カプセル型分子形成反応の反応性を向上させる観点からは、水系試料を加熱してもよい。
加熱の温度としては、前記一般式（Ｉ）で表される化合物の種類等によっても異なるが、０〜１００℃が好ましく、２０〜７０℃がより好ましい。
【００６６】
本検出方法では、前記接触後、水系試料を撹拌してもよく、撹拌せずにそのまま放置してもよいが、接触頻度を高め、捕捉カプセル型分子形成反応の反応性を向上させる観点からは、撹拌することが好ましい。
撹拌には、攪拌器、容器の振とう、加熱による対流、などの手段を用いることができる。
【実施例】
【００６７】
以下、本発明の実施例について説明するが、本発明はこれらの実施例に限定されるものではない。以下の実施例において、溶液の調製、または測定に用いた水はすべて超純水を用いた。
【００６８】
〔参考例１〕
＜例示化合物（ａ）（３，５−ビス（イミダゾール−１−イル−メチル）−２，４，６−テトラメチルフェノール）の合成＞
下記反応スキーム１に従って例示化合物（ａ）の合成を行った。
【００６９】
【化１０】
2012026981.tif 000011
【００７０】
反応スキーム１の詳細を以下に説明する。
まず、２，４，６−トリメチルフェノール（上記化合物１）（１３．６ｇ，０．１０ｍｏｌ）と、１，３，５−トリオキサン（９．００ｇ，０．１０ｍｏｌ）と、を３０％ＨＢｒ／ＣＨ３ＣＯＯＨ溶液（１４１ｍｌ）の中に入れ、８０℃で２時間還流した。その後、室温で冷やし、７００ｍｌの氷水に注ぎ、出てきた生成物を濾過して集め、真空乾燥した（生成物の収量：３１．４３ｇ）。
生成物は、３，５−ビス（ブロモメチル）−２，４，６−トリメチルフェノール（上記化合物２）と、３，５−ビス（ブロモメチル）−２，４，６−トリメチルフェニルエタノエート（上記化合物３）と、の混合物であった。
【００７１】
上記で得られた化合物２と化合物３との混合物（２．０６ｇ）と、イミダゾール（４．２９ｇ，０．０６３ｍｏｌ）と、をメタノール（５１ｍｌ）中で、６５℃で１６時間還流した。その後、炭酸ナトリウム（６．３０ｇ，０．０５９ｍｏｌ）を加え、さらに２時間還流を続けた。氷冷した後濾過し、瀘液を濃縮した。濃縮したものをジクロロメタンと水で分液し、ジクロロメタン層を抽出した。そこに硫酸マグネシウムを入れて残った水を除去した後、硫酸マグネシウムを濾過して除き、ジクロロメタンを濃縮した。濃縮したものをヘキサンに滴下したところ、白色の固体（例示化合物（ａ）の粗生成物）が析出した。
この白色固体（例示化合物（ａ）の粗生成物）をメタノールに溶かし水を加えて再結晶して、例示化合物（ａ）を得た（収量：０．６００ｇ）。例示化合物（ａ）の化合物１からの収率は２９％であった。
得られた例示化合物（ａ）の構造は、元素分析及びＮＭＲにより同定した。測定結果は以下のとおりである。
【００７２】
〜元素分析結果（％）〜
Calcd for C17H20N4O : C, 68.89; H, 6.80; N, 18.90.
Found: C, 68.89; H, 7.01; N, 18.65.
〜ＮＭＲ結果〜
1H NMR (CDCl3)δ7.22 (s, 2H), 7.03 (s, 2H), 6.79 (s, 2H), 5.17 (s, 4H), 2.25(s, 6H), 2.18 (3H)
【００７３】
〔実施例１〕
＜テトラフルオロホウ酸イオンの呈色＞
硫酸銅と例示化合物（ａ）とを１：２の比（モル比）で含む水／アセトニトリル溶液に、テトラフルオロホウ酸ナトリウム溶液を滴下していき、紫外可視吸収スペクトルの変化を観測した（図１）。
ここで、紫外可視吸収スペクトルは、日本分光（株）製のV570 UV-Vis.NIR supectrometerにて測定した。
図１に示すように、テトラフルオロホウ酸ナトリウム溶液の滴下前では、６２０ｎｍ付近に吸収極大が観測された（波形Ａ）。ここで、波形Ａは銅イオンの吸収を示す波形であり、このときの溶液の色は青色であった。
テトラフルオロホウ酸ナトリウムを滴下し、その滴下量を増加させるに従ってスペクトルの波形が除々に変化していき（破線の矢印）、吸収極大が５５０ｎｍ付近までシフトした波形（波形Ｂ）に収束した。ここで、波形Ｂは捕捉カプセル型分子の吸収を示す波形であり、このときの溶液の色は紫色であった。
以上のように、テトラフルオロホウ酸イオンを取り込んだ捕捉カプセル型分子の形成に伴い、溶液の色が青色から紫色に変化することが確認された。
以上により、例示化合物（ａ）及び硫酸銅を用い、水系試料中のテトラフルオロホウ酸イオンの検出を行うことができることが確認された。また、例示化合物（ａ）と硫酸銅との混合物がテトラフルオロホウ酸イオンの検出剤として有効であり、また、例示化合物（ａ）と硫酸銅との組み合わせがテトラフルオロホウ酸イオンの検出キットとして有効であることが確認された。
【００７４】
〔実施例２〕
＜例示化合物（ａ）及び硫酸銅（ＣｕＳＯ４）を用いたＢＦ４−の検出＞
（試料１−１（ブランク）の調製）
３．６ｍｇ（１．２×１０−５ｍｏｌ）の例示化合物（ａ）をサンプル瓶に量りとり、そこに、４ｍＭ（６×１０−６ｍｏｌ）の硫酸銅（ＣｕＳＯ４）を１．５ｍｌ滴下した。
更に、水１．５ｍｌを滴下して試料１−１（ブランク）とした。
【００７５】
（試料１−２〜試料１−５の調製）
試料１−１の調製において、水１．５ｍｌに代えてテトラフルオロホウ酸ナトリウム水溶液（０．５ｍＭ）１．５ｍｌを滴下したこと以外は試料１−１の調製と同様にして、試料１−２（０．５ｍＭ  ＮａＢＦ４）を調製した。
また、試料１−１の調製において、水１．５ｍｌに代えてテトラフルオロホウ酸ナトリウム水溶液（１ｍＭ）１．５ｍｌを滴下したこと以外は試料１−１の調製と同様にして、試料１−３を調製した。
また、試料１−１の調製において、水１．５ｍｌに代えてテトラフルオロホウ酸ナトリウム水溶液（２ｍＭ）１．５ｍｌを滴下したこと以外は試料１−１の調製と同様にして、試料１−４を調製した。
また、試料１−１の調製において、水１．５ｍｌに代えてテトラフルオロホウ酸ナトリウム水溶液（３ｍＭ）１．５ｍｌを滴下したこと以外は試料１−１の調製と同様にして、試料１−５を調製した。
【００７６】
前記試料１−１〜試料１−５の調製において、それぞれ、水１．５ｍｌまたはテトラフルオロホウ酸ナトリウム水溶液１．５ｍｌの滴下から５分後の試料の色を目視で観察した。
試料１−１〜試料１−５の色を表１に示す。
また表１には、試料１−１〜試料１−５におけるモル比〔Ｃｕ２＋：例示化合物（ａ）：ＢＦ４−〕及びモル比〔Ｃｕ２＋／例示化合物（ａ）〕を併記した。
【００７７】
【表１】
2012026981.tif 000012
【００７８】
表１に示すように、ＮａＢＦ４濃度が１．０ｍＭ以下である試料１−１〜試料１−３では、試料の色は、Ｃｕ２＋の色である青色であった。
これに対し、ＮａＢＦ４濃度が２．０ｍＭ以上である試料１−４及び試料１−５では、試料の色は捕捉カプセル型分子の色である紫色であった。
試料１−４及び試料１−５では、モル比〔Ｃｕ２＋：例示化合物（ａ）：ＢＦ４−〕がそれぞれ２：４：１及び２：４：１．５であることから、Ｃｕ２＋２個と、例示化合物（ａ）４分子と、ＢＦ４−１分子と、により捕捉カプセル型分子が形成され、この形成に伴い、捕捉カプセル型分子の色である紫色を呈することが確認された。
以上のように、本実施例２の系では、２．０ｍＭ以上の濃度のＢＦ４-を検出できることが確認された。
ここで、例示化合物（ａ）及び硫酸銅（ＣｕＳＯ４）の量を調整することで、検出したいＢＦ４−の濃度（検出下限）を変更することもできる。例えば、例示化合物（ａ）及び硫酸銅（ＣｕＳＯ４）の量を１／２とすることで、１．０ｍＭ以上の濃度のＢＦ４-を検出することができる。また、未知のＢＦ４-濃度の溶液に対し、例示化合物（ａ）及び硫酸銅（ＣｕＳＯ４）を少しずつ添加していき、溶液の色が変化したときの例示化合物（ａ）及び硫酸銅（ＣｕＳＯ４）の量から、ＢＦ４-濃度を定量することもできる。
【００７９】
〔実施例３〕
＜例示化合物（ａ）及び塩化銅（II）（ＣｕＣｌ２）を用いたＢＦ４−の検出＞
（試料２−１（ブランク）の調製）
３．６ｍｇ（１．２×１０−５ｍｏｌ）の例示化合物（ａ）をサンプル瓶に量りとり、そこに、４ｍＭ（６×１０−６ｍｏｌ）の塩化銅（II）（ＣｕＣｌ２）を１．５ｍｌ滴下した。
更に、水１．５ｍｌを滴下して試料２−１（ブランク）とした。
【００８０】
（試料２−２〜試料２−５の調製）
試料２−１の調製において、水１．５ｍｌに代えてテトラフルオロホウ酸ナトリウム水溶液（０．１ｍＭ）１．５ｍｌを滴下したこと以外は試料２−１の調製と同様にして、試料２−２（０．１ｍＭ  ＮａＢＦ４）を調製した。
また、試料２−１の調製において、水１．５ｍｌに代えてテトラフルオロホウ酸ナトリウム水溶液（０．５ｍＭ）１．５ｍｌを滴下したこと以外は試料２−１の調製と同様にして、試料２−３を調製した。
また、試料２−１の調製において、水１．５ｍｌに代えてテトラフルオロホウ酸ナトリウム水溶液（１ｍＭ）１．５ｍｌを滴下したこと以外は試料２−１の調製と同様にして、試料２−４を調製した。
また、試料２−１の調製において、水１．５ｍｌに代えてテトラフルオロホウ酸ナトリウム水溶液（２ｍＭ）１．５ｍｌを滴下したこと以外は試料２−１の調製と同様にして、試料２−５を調製した。
また、試料２−１の調製において、水１．５ｍｌに代えてテトラフルオロホウ酸ナトリウム水溶液（３ｍＭ）１．５ｍｌを滴下したこと以外は試料２−１の調製と同様にして、試料２−６を調製した。
【００８１】
前記試料２−１〜試料２−６の調製において、それぞれ、水１．５ｍｌまたはテトラフルオロホウ酸ナトリウム水溶液１．５ｍｌの滴下から５分後の試料の色を目視で観察した。
試料２−１〜試料２−６の色を表２に示す。
また表２には、試料２−１〜試料２−６におけるモル比〔Ｃｕ２＋：例示化合物（ａ）：ＢＦ４−〕及びモル比〔Ｃｕ２＋／例示化合物（ａ）〕を併記した。
【００８２】
【表２】
2012026981.tif 000013
【００８３】
表２に示すように、ＮａＢＦ４濃度が０．５ｍＭ以下である試料２−１〜試料２−３では、試料の色は、Ｃｕ２＋の色である青色であった。
これに対し、ＮａＢＦ４濃度が１．０ｍＭ以上である試料２−４〜試料２−６では、試料の色は捕捉カプセル型分子の色である紫色であった。
表１及び表２に示すように、硫酸銅（ＣｕＳＯ４）を用いた実施例２の検出下限は２．０ｍＭであるのに対し、塩化銅（II）（ＣｕＣｌ２）を用いた実施例３の検出下限は１．０ｍＭであり、硫酸銅（ＣｕＳＯ４）に代えて塩化銅（II）（ＣｕＣｌ２）を用いることにより検出下限を下げる（即ち、検出感度を上げる）ことができることがわかった。
この原因については以下のことが考えられる。
即ち、目視による観察の結果、塩化銅（II）（ＣｕＣｌ２）を用いた試料２−１（ブランク）の青色は、硫酸銅（ＣｕＳＯ４）を用いた試料１−１（ブランク）の青色よりも濃い青色であり（具体的には、ブランク水溶液の吸収極大位置が、ＣｕＳＯ４を用いた場合は５７７ｎｍ付近であったのに対し、ＣｕＣｌ２を用いた場合は５８７ｎｍ付近にシフトした）、これにより、色の判別をより行いやすくなったためと推測される。
【００８４】
〔実施例４〕
＜例示化合物（ａ）及び硫酸銅（ＣｕＳＯ４）を用いたＢＦ４−の検出２＞
実施例２に対し、硫酸銅（ＣｕＳＯ４）の濃度を２倍（８ｍＭ（１．２×１０−５ｍｏｌ））にしたこと以外は実施例２と同様の実験を行った。
試料の詳細を以下に説明する。
【００８５】
（試料３−１（ブランク）の調製）
３．６ｍｇ（１．２×１０−５ｍｏｌ）の例示化合物（ａ）をサンプル瓶に量りとり、そこに、８ｍＭ（１．２×１０−５ｍｏｌ）の硫酸銅（ＣｕＳＯ４）を１．５ｍｌ滴下した。
更に、水１．５ｍｌを滴下して試料３−１（ブランク）とした。
【００８６】
（試料３−２〜試料３−５の調製）
試料３−１の調製において、水１．５ｍｌに代えてテトラフルオロホウ酸ナトリウム水溶液（０．５ｍＭ）１．５ｍｌを滴下したこと以外は試料３−１の調製と同様にして、試料３−２（０．５ｍＭ  ＮａＢＦ４）を調製した。
また、試料３−１の調製において、水１．５ｍｌに代えてテトラフルオロホウ酸ナトリウム水溶液（１ｍＭ）１．５ｍｌを滴下したこと以外は試料３−１の調製と同様にして、試料３−３を調製した。
また、試料３−１の調製において、水１．５ｍｌに代えてテトラフルオロホウ酸ナトリウム水溶液（２ｍＭ）１．５ｍｌを滴下したこと以外は試料３−１の調製と同様にして、試料３−４を調製した。
また、試料３−１の調製において、水１．５ｍｌに代えてテトラフルオロホウ酸ナトリウム水溶液（３ｍＭ）１．５ｍｌを滴下したこと以外は試料３−１の調製と同様にして、試料３−５を調製した。
【００８７】
前記試料３−１〜試料３−５の調製において、それぞれ、水１．５ｍｌまたはテトラフルオロホウ酸ナトリウム水溶液１．５ｍｌの滴下から５分後の試料の色を目視で観察した。
試料３−１〜試料３−５の色を表１に示す。
また表１には、試料３−１〜試料３−５におけるモル比〔Ｃｕ２＋：例示化合物（ａ）：ＢＦ４−〕及びモル比〔Ｃｕ２＋／例示化合物（ａ）〕を併記した。
【００８８】
【表３】
2012026981.tif 000014
【００８９】
表３に示すように、ＮａＢＦ４濃度が０．５ｍＭ以下である試料３−１及び試料３−２では、試料の色は、Ｃｕ２＋の色である青色であった。
これに対し、ＮａＢＦ４濃度が１．０ｍＭ以上である試料３−３〜試料３−５では、試料の色は捕捉カプセル型分子の色である紫色であった。
表１及び表３に示すように、モル比〔Ｃｕ２＋／例示化合物（ａ）〕が０．５である実施例２の検出下限は２．０ｍＭであるのに対し、モル比〔Ｃｕ２＋／例示化合物（ａ）〕が１．０である実施例４の検出下限は１．０ｍＭであり、モル比〔Ｃｕ２＋／例示化合物（ａ）〕を１．０とすることにより、モル比〔Ｃｕ２＋／例示化合物（ａ）〕を０．５とした場合と比較して、検出下限を下げる（即ち、検出感度を上げる）ことができることがわかった。
この原因については、前述の実施例３の場合と同様に、ブランクの色の濃度を濃くすることによって、色の判別をより行いやすくなったためと推測される。
【図１】
2012026981.tif 000020